(57)【要約】【課題】作業者が容易に搬送及び設置することができ、足場の布板の高さ位置に関わらず用いることができるベランダブリッジの提供。【解決手段】ベランダの手摺りの上部に上から係合する係合部２と、この係合部２に回転可能に連結されたハシゴ部３とを備えており、上記係合部２が、下方に開口したコ字状の横断面を有する本体７と、この本体７の長手方向の両端部において、コ字状の横断面の両袖部から下方に延びる延長部８と、上記本体７の内側に嵌着された、下方に開口したコ字状の横断面を有する第一緩衝部材１０と、上記延長部８の内面に貼り付けられたシート状の第二緩衝部材１４と、上記延長部８の内面に着脱可能に取り付けられた、弾力性を有するスペーサ１５とを備えている。【選択図】図２
2011157740.tif 000002
【特許請求の範囲】
【請求項１】
ベランダの手摺りの上部に上から係合する係合部と、
この係合部に回転可能に連結されたハシゴ部とを備えており、
上記係合部が、
上記手摺りの上端に上から当接する踏台部と、この踏台部の両側に連続して形成された、手摺りの両側面に当接する当接支持部とを有しているベランダブリッジ。
【請求項２】
上記踏台部の下面、及び、上記当接支持部の手摺り側面との当接面それぞれに、弾力性を有する緩衝部が形成されている請求項１に記載のベランダブリッジ。
【請求項３】
上記係合部が、下方に開口したコ字状の横断面を有する本体と、この本体の長手方向における少なくとも一部において、コ字状の横断面の両袖側から下方に延びる延長部とを有しており、
上記本体の天板部が上記踏台部を構成しており、上記本体の両袖部及び上記延長部のうちの少なくとも延長部が上記当接支持部を構成している請求項２に記載のベランダブリッジ。
【請求項４】
上記緩衝部が、上記本体の内側に嵌着された、下方に開口したコ字状の横断面を有する第一緩衝部と、上記延長部の内面に貼り付けられたシート状の第二緩衝部とを有しており、上記延長部の内面に、弾力性を有するスペーサが着脱可能に取り付けられている請求項３に記載のベランダブリッジ。
【発明の詳細な説明】
【技術分野】
【０００１】
本発明は、ベランダブリッジに関する。詳細には、本発明は、集合住宅等のビルの外面に構築された足場と、当該集合住宅等のベランダとを、人が行き来するために用いられるベランダブリッジに関する。
【背景技術】
【０００２】
マンション等の集合住宅の建設時及び補修時には、集合住宅の外壁に図５に示すような足場５１が構築される。この足場５１は縦パイプ５２と横パイプ５３とが組み合わされて構築される。さらに、この足場５１には、作業者が通行するための布板（アンチ）５４がマンションＭの外壁に沿って水平に掛け渡される。この布板５４とマンションＭのベランダＢの床面とを行き来するために、梯子段を有するベランダブリッジ（ベランダステップともいう）５５が用いられる。
【０００３】
ベランダブリッジ５５としては、足場５１に固定されて使用されるものがよく知られている。一般的なベランダブリッジ５５は、周知の脚立に似た形状及び構造を有している。このベランダブリッジ５５は、その一方の脚部５５ａがベランダＢ側に配置され、他方の脚部５５ｂが足場５１側に配置された状態で、足場５１に固定されている。すなわち、ベランダブリッジ５５は、ベランダＢの手摺り壁又は手摺り柵（以下、単に手摺りという）Ｇを跨いだ状態で足場５１の横パイプ５３等に固定される。
【０００４】
マンションＭの建設時では、ベランダブリッジ５５の使用は、主にベランダＢの住戸間のパーティションが設置される前になされる。この場合、作業者は容易にベランダＢ上を通行することができるので、ベランダブリッジ５５が足場５１に固定されていても大きな問題は生じない。また、一フロア当たりのベランダブリッジ５５の個数は少なくてもよい。しかし、マンションＭの補修時では、すでに上記パーティションが設置されているので、住戸ごとにベランダブリッジ５５が配置されることが望まれる。この場合、足場５１の設置コストが上昇する。一方、ベランダブリッジ５５を着脱可能とし、且つ、可搬式にすることが考えられる。しかし、従来のベランダブリッジ５５は、固定されることを前提としているため、搬送するには大きすぎて厄介である。
【０００５】
また、マンションＭの建設時と補修時とでは、一般的に、マンションＭの外壁に近接した地面の高さ位置が異なることが多い。補修時には、通常、すでに地面がアスファルトやタイル等によって舗装されているからである。その結果、建設時に用いられた足場が補修時に設置されると、ベランダＢに対する足場５１の布板５４の高さ位置が、建設時における高さ位置とは相違することになる。この場合、ベランダブリッジ５５の改造が必要となる。
【０００６】
以上説明した従来のベランダブリッジとしては、特開平１１−７１８９５公報、特開２００１−１０７５５６公報、特開２００１−１８２３１２公報、特開２００１−３１７１９６公報、及び特開２００２−２５６７８７公報に開示されたものが知られている。
【先行技術文献】
【特許文献】
【０００７】
【特許文献１】特開平１１−７１８９５公報
【特許文献２】特開２００１−１０７５５６公報
【特許文献３】特開２００１−１８２３１２公報
【特許文献４】特開２００１−３１７１９６公報
【特許文献５】特開２００２−２５６７８７公報
【発明の概要】
【発明が解決しようとする課題】
【０００８】
マンション等の補修時および建設時ともに、改造することなく流用することができ、また、異なるマンションに対しても改造することなく流用することのできる、可搬式のベランダブリッジが待ち望まれている。
【０００９】
本発明の目的は、作業者が容易に搬送及び設置することができ、足場の布板の高さ位置に関わらず用いることができるベランダブリッジの提供にある。
【課題を解決するための手段】
【００１０】
本発明に係るベランダブリッジは、
ベランダの手摺りの上部に上から係合する係合部と、
この係合部に回転可能に連結されたハシゴ部とを備えており、
上記係合部が、
上記手摺りの上端に上から当接する踏台部と、この踏台部の両側に連続して形成された、手摺りの両側面に当接する当接支持部とを有している。
【００１１】
かかる構成によれば、作業者は、上記ハシゴ部をベランダ側に差し出し、上記係合部をベランダの手摺りの上部に上から係合することにより、上記ベランダブリッジを容易に希望位置に設置することができる。ベランダブリッジを手摺りから取り外すときには、作業者は、係合部を上方へ持ち上げればよい。また、かかる構成によればコンパクト且つ軽量なベランダブリッジが実現する。その結果、作業者は、このベランダブリッジを容易に搬送及び設置することができ、足場の布板の高さ位置に関わらず用いることができる
【００１２】
上記踏台部の下面、及び、上記当接支持部の手摺り側面との当接面それぞれに、弾力性を有する緩衝部が形成されているのが好ましい。
【００１３】
上記係合部が、下方に開口したコ字状の横断面を有する本体と、この本体の長手方向における少なくとも一部において、コ字状の横断面の両袖側から下方に延びる延長部とを有しており、
上記本体の天板部が上記踏台部を構成し、上記本体の両袖部及び上記延長部のうちの少なくとも延長部が上記当接支持部を構成するようにしてもよい。
【００１４】
上記緩衝部が、上記本体の内側に嵌着された、下方に開口したコ字状の横断面を有する第一緩衝部と、上記延長部の内面に貼り付けられたシート状の第二緩衝部とを有しており、上記延長部の内面に、弾力性を有するスペーサが着脱可能に取り付けられているのが好ましい。
【発明の効果】
【００１５】
本発明に係るベランダブリッジでは、作業者が容易に搬送及び設置することができ、足場の布板の高さ位置に関わらず用いることができる。
【図面の簡単な説明】
【００１６】
【図１】図１は、マンションのベランダに取り付けられた状態の、本発明の一実施形態に係るベランダブリッジを示す一部断面側面図である。
【図２】図２は、図１のベランダブリッジを示す一部断面斜視図である。
【図３】図３は、図１のベランダブリッジの係合部を示す側面図である。
【図４】図４（ａ）は、ベランダブリッジの係合部に装着された第一緩衝部材の他の例を示す断面図であり、図４（ｂ）は、ベランダブリッジの係合部に装着された第一緩衝部材のさらに他の例を示す断面図である。
【図５】図５は、マンションのベランダに取り付けられた状態の、従来のベランダブリッジを示す一部断面側面図である。
【発明を実施するための形態】
【００１７】
以下、適宜図面が参照されつつ、実施形態に基づいて本発明が詳細に説明される。
【００１８】
図１及び図２に示されたベランダブリッジ１は、ベランダＢの手摺りＧの上部に上から係合する係合部２と、この係合部２に支軸４によって回転可能に連結され、且つ、連結点Ｃから下方に伸びるハシゴ部３とを備えている。このように、ベランダブリッジ１は、手摺りＧに係合されるものであり、足場５１に取り付けられる必要はない。ハシゴ部３の左右一対の脚柱３ａ間には、ほぼ等間隔で三段のステップ板５が取り付けられている。ステップ板５の段数は三段には限定されないが、一般的なベランダＢの手摺りＧの高さ（Ｈ＝１１０〜１２０ｃｍ程度）から、三段が最適であると考えられる。また、脚柱３ａは傾斜した状態で使用されることから、その長さＬ１は１３０〜１６０ｃｍの範囲が好ましい。上記脚柱３ａは、入れ子式に連結された複数のパイプ材から形成された、長さ調節可能なものであってもよい。上記ハシゴ部３は、係合部２に対して着脱可能に構成されていてもよい。
【００１９】
図示されてはいないが、上記支軸４は以下の構造を有するものが好ましい。すなわち、支軸が、係合部２をその長手方向に貫通する長尺の棒材から形成されている。この支軸の両端部にネジが形成されている。この各ネジ部に、ナットを包含したノブが螺着されている。このノブの回転操作により、係合部２とハシゴ部３とが両ノブによって挟圧されて、互いに固定される。かかる構成により、ハシゴ部３を、係合部２に対して所望の傾斜角に傾斜させて固定することができる。
【００２０】
係合部２とハシゴ部３とは、互いに平行に重ね合わせ得るように構成されてもよい。例えば、ハシゴ部３の上端から係合部２の長さの範囲に、ステップ板５が設置されていない構成である。かかる構成により、係合部２は、ハシゴ部３の脚柱３ａ間に入り込むことができ、ハシゴ部３と平行に重ね合わせられる。係合部２に対し、平行に重ね合わされた状態のハシゴ部の脚柱３ａを固定するための止め金具（図示していない）が設けられるのが好ましい。平行状態で固定された係合部２とハシゴ部３とは、搬送が容易だからである。
【００２１】
ハシゴ部３の係合部２への連結は、上記した構成には限定されない。例えば、係合部２の長手方向両端それぞれにブラケット（図示していない）を幅方向外方へ突設する。そして、このブラケットに、ハシゴ部３をノブ付きの支軸によって回転可能に連結してもよい。このようにすれば、ハシゴ部３は係合部２と重ならずに平行となる。
【００２２】
図１に示されたベランダブリッジ１では、ハシゴ部３が係合部２の幅方向の一端側にのみ連結されている。しかし、図示しないが、係合部２の幅方向の両端側それぞれにハシゴ部３が回転可能に連結されてもよい。そのうえで、両ハシゴ部３の開き角度を複数段階に設定するための角度調節機構が設けられているのが望ましい。この角度調節機構としては、一方のハシゴ部３の長手方向中間部に回転可能に取り付けられた長尺のストッパーアームと、他方のハシゴ部３の対向する位置に突設された係合ピンとからなるものとすることができる。ストッパーアームには、その長手方向に沿って複数個の係合凹所が間隔をおいて形成されている。そして、上記係合ピンにストッパーアームの任意の係合凹所を係合させることにより、両ハシゴ部３の開き角度を固定することができる。かかる構成により、このベランダブリッジを脚立としても使用することができる。
【００２３】
脚柱３ａの下端には接地部材３ｂが上下に回動可能に取り付けられている。この接地部材３ｂは、ベランダ床面に対する脚柱３ａの傾斜に応じて回動することにより、その下面がベランダ床面に密着する。接地部材３ｂの下面には、ベランダ床面を保護すると共に、ベランダ床面との滑りを防止するために、ゴム等の緩衝材が帖着されている。
【００２４】
ハシゴ部３の上方には手摺部６が備えられてもよい。本実施形態では、手摺部６が脚柱３ａの上端から連続して延びている。手摺部６にはステップ板５は設けられていない。作業者は、ハシゴ部３を昇降する際に、必要に応じて手摺部６をつかんで身体を安定させる。この手摺部６は、ハシゴ部３に対して着脱可能な別部材として形成されたものでもよい。さらに、この手摺部６は、脚柱３ａに対して入れ子式に連結された別部材から形成されてもよい。こうすれば、長さの調節が可能となり、且つ、使用する必要性が無いときには脚柱３ａ内に収納されうる。本実施形態では、ハシゴ部３及び手摺部６ともにアルミ合金等から形成されている。
【００２５】
図２に示されたように、上記係合部２は、下方に開口したコ字状の横断面を有する長尺の本体７と、この本体７の長手方向両端に接続された延長部８とを有している。この延長部８の形成位置は、本体７の長手方向両端に限定されず、長手方向中間部であってもよい。ただし、手摺りＧへの係合効果の観点から、延長部８は本体７の長手方向に離間した複数箇所に形成されるのが好ましい。
【００２６】
本体７及び延長部８は、製品重量軽減及び製造容易の観点から、アルミ合金等から押出加工等によって形成されるのが好ましい。本実施形態における本体７は、内部に補強リブ９を有する中空状に形成されている。もちろん、この本体７は、複数部品が組み合わせられることによって図２に示す形状が実現されたものであってもよい。係合部２の長さＬ２は、使用時の利便性及び可搬性の観点から、４０〜６０ｃｍの範囲が好ましい。
【００２７】
多くのマンションでは、手摺りＧの上端にアルミ合金等からなる手摺管ＧＰが敷設されている。上記本体７は、この手摺管ＧＰを保護するために使用される。図示のごとく、本体７の内側には、下方に開口したコ字状の横断面を有する長尺の第一緩衝部材１０が装着されている。第一緩衝部材１０は硬質ゴム等の弾力性を有する材料から形成されている。第一緩衝部材１０の外面は本体７の内面に密着している。
【００２８】
第一緩衝部材１０の本体７への装着は、ネジ等によってもよく、接着剤によってもよく、面ファスナーによってもよく、本体７内面に形成された臍１１と第一緩衝部材１０の外面に形成された溝１２との係合によってもよく、これらの組み合わせによってもよい。なお、上記臍１１は本体７の長手方向に沿って形成され、溝１２は第一緩衝部材１０の長手方向に沿って形成されている。かかる構成により、第一緩衝部材１０は、本体７の一端側から押し込まれることによって本体７に装着されうる。
【００２９】
本体７の天板部７ｃは、第一緩衝部材１０の天井部を介して手摺管ＧＰに当接する（図３参照）。本体７の上面にはゴム等の摩擦係数の材料から形成された滑り止めシート１３が帖着されている。滑り止めシート１３の上面には滑り止めのために、多数本の突条１３ａが形成されている。本体７の天板部７ｃは、この滑り止めシート１３を介して作業者等に踏まれる。このように、コ字状の本体７の天板部７ｃは踏台部として機能する。
【００３０】
上記延長部８は下方に開口したコ字状の横断面を有している。コ字の両袖部８ａ、８ｂは上記本体７の両袖部７ａ、７ｂより長く下方に延びている。図２に一部断面にして示されているように、延長部８はアルミ合金等から押出加工等によって角筒状に形成されている。本実施形態では、両袖部８ａ、８ｂの内面の間隔は、本体７の両袖部７ａ、７ｂの内面の間隔とほぼ同一寸法にされている。また、延長部８の天板部８ｃの正面視の幅は、本体７の天板部７ｃの正面視の幅とほぼ同一寸法にされている。しかし、かかる構成には限定されない。また、延長部は、下方に開口したコ字状の横断面を有する部材に限定されない。たとえば、本体７の両袖部７ａ、７ｂそれぞれの下面に、下方に突設された部材であってもよい。
【００３１】
この延長部８は、係合部２が手摺りＧに係合したときに、手摺りＧの内外壁面に当接する部分である。こうすることにより、ベランダブリッジ１がより安定した状態で手摺りＧに支持される。従って、この延長部８は手摺りＧに対する当接支持部と呼ぶことができる。延長部８の袖部８ａ、８ｂの長さＬ３（図３）は、手摺りＧへの安定した係合の観点から、４０ｃｍ以上が好ましく、５０ｃｍ以上がさらに好ましい。また、一般的な手摺りＧの高さＨ（図１）が１１０〜１２０ｃｍ程度であること、及び、係合解除容易の観点からは、８０ｃｍ以下が好ましく、７０ｃｍ以下がさらに好ましい。
【００３２】
延長部８の内部の間隔Ｗ（図３）、すなわち、延長部８の両袖部８ａ、８ｂの内面同士の間隔Ｗは、一般的な手摺りの壁の厚さＴ（図３）が１２〜１８ｃｍであることから、２０ｃｍ程度であることが好ましい。この場合、後述するスペーサ１５によって上記間隔が調整可能であることが望ましい。
【００３３】
図２に示されているように、延長部８の袖部８ａ、８ｂの内面には、シート状の第二緩衝部材１４が装着されている。第二緩衝部材１４はゴム等の弾力性を有する材料から形成されている。第二緩衝部材１４の延長部８への装着は、溶融した材料の塗布、シート状緩衝材の接着剤による帖着、面ファスナーによる帖着等によってなされてもよい。第二緩衝部材１４は、延長部８の袖部８ａ、８ｂの内面に加えて、天板部８ｃの内面にも装着してもよい。
【００３４】
延長部８の両袖部８ａ、８ｂの下端部の内面には、弾力性を有する材料から形成されたスペーサ１５が着脱可能に取り付けられている。複数種類の厚さのスペーサ１５が用意されている。このスペーサ１５の選択的な装着により、両袖部８ａ、８ｂの内面と手摺りＧの外面との間の隙間が調整される（図３参照）。その結果、同一のベランダブリッジ１が、異なる厚さの手摺りに対しても適用されうる。スペーサ１５の延長部８への着脱可能な装着は、面ファスナーによるのが好ましい。面ファスナーは、接着剤によってスペーサ１５および延長部８に固着することができる。
【００３５】
前述したとおり、本実施形態では、第一緩衝部材１０は本体７にのみ装着されている。しかし、かかる構成には限定されない。第一緩衝部材１０の長手方向両端側が延長されて、延長部８の内側にも装着されるように構成されてもよい。この場合、前述した臍１１は延長部８内面にまで延長して形成されるのが好ましい。
【００３６】
図３には、手摺りＧの上部に係合した係合部２が示されている。係合部２が手摺りＧに係合すると、手摺管ＧＰが第一緩衝部材１０の凹所１０ａ内に嵌合し、延長部８の内面又はスペーサ１５が手摺り壁面に当接又は近接する。この状態で、作業者が天板部７ｃ上に乗ると、手摺管ＧＰが第一緩衝部材１０の凹所１０ａ内に押し込まれる。さらに、第一緩衝部材１０の下端が手摺り壁の上端によって圧縮される。この作用により、係合部２が手摺りＧに対して、一層深く且つ安定して係合する。また、下向き外力に対する手摺管ＧＰからの反力が第一緩衝部材１０によってあらゆる方向の力成分に分散される。
【００３７】
前述した第一緩衝部材１０は、その凹所１０ａが矩形を呈しているが、かかる形状には限定されない。脱着容易の観点から、例えば、図４（ａ）に示された第一緩衝部材１６であってもよい。この第一緩衝部材１６は、その凹所１６ａの両内側面１６ｂが八字状を呈するように傾斜している。そして、凹所１６ａの開口幅Ｗｏは一般的な手摺管ＧＰの幅より大きく、内部幅Ｗｉは一般的な手摺管ＧＰの幅より小さくしておいてもよい。さらに、上記開口幅Ｗｏは、図示のごとく第一緩衝部材１６の下面に手摺り壁の上端が当接しうる寸法とされるのが好ましい。係合部２への下向き外力の多くを手摺り壁に分担させる目的である。
【００３８】
前述した第一緩衝部材１０は、手摺管ＧＰの無い手摺りＧにも適用されうる。しかし、予め上記ベランダブリッジ１が手摺管ＧＰの無い手摺りＧに適用されることが分かっている場合、コ字状断面の第一緩衝部材１０に代えて、図４（ｂ）に示された、矩形断面の第一緩衝部材１７が本体７に装着されてもよい。この矩形断面の第一緩衝部材１７は、図２及び図４（ａ）に示された第一緩衝部材１０、１６の厚さの１／２以下の厚さにすることができる。
【００３９】
以上に説明されたベランダブリッジ１は、足場５１に取り付ける必要がなく、ベランダの手摺りＧに係合させるだけでよい。従って、このベランダブリッジ１は、マンション等の補修時および建設時ともに、改造することなく使用されることができ、また、異なるマンションに対しても改造することなく使用されることができる。また、左右一対のハシゴ部を有する従来の脚立とは異なり、単一のハシゴ部３を備えるだけであるため、可搬性に優れている。
【産業上の利用可能性】
【００４０】
以上説明されたベランダブリッジは、マンション等の建設時はもとより、その補修時にも容易に適用されうる。
【符号の説明】
【００４１】
１・・・ベランダブリッジ
２・・・係合部
３・・・ハシゴ部
４・・・支軸
５・・・ステップ部
６・・・手摺部
７・・・本体
８・・・延長部
９・・・補強リブ
１０・・・第一緩衝部材
１１・・・臍
１２・・・溝
１３・・・滑り止めシート
１４・・・第二緩衝部材
１５・・・スペーサ
１６・・・第一緩衝部材
１７・・・第一緩衝部材
Ｂ・・・ベランダ
Ｇ・・・手摺り
ＧＰ・・・手摺管
Ｍ・・・マンション
【図１】
2011157740.tif 000003
【図２】
2011157740.tif 000004
【図３】
2011157740.tif 000005
【図４】
2011157740.tif 000006
【図５】
2011157740.tif 000007